【誤訳訂正書】
【提出日】平成25年5月27日(2013.5.27)
【誤訳訂正１】
【訂正対象書類名】特許請求の範囲
【訂正対象項目名】全文
【訂正方法】変更
【訂正の内容】
【特許請求の範囲】
【請求項１】
被験体における眼の状態を処置するための医薬組成物であって、該医薬組成物は、該被験体の小管チャネルまたは涙点チャネルに配置されることにより、該被験体の眼からの涙液の排液を減少させるものであり、該医薬組成物は、
ポリマーマトリックスの融点が６０℃未満であり、ポリエステルポリマーもしくは脂肪酸系ポリマー、または両方のポリマーの混合物を含む水不溶性ポリマーマトリックスを含み、
該医薬組成物が１５℃〜２５℃の温度でペーストであり、注射可能なペーストとして製剤化され、
該ポリエステルポリマーは、以下の群：
【化１７】
2010508995.tif 000001
【化１８】
2010508995.tif 000002
（式中、Ｒ１、Ｒ２およびＲ３は、独立に２から８個の炭素原子のアルキルならびにアルコキシルジオール、トリオールおよびテトラオールから成る群から選択され、
ｗ、ｗ１は、独立に４から１２の整数であり、
ｗ２、ｗ３は、独立に１から１２の整数であり、
ｗ４、ｗ５、ｗ６、ｗ７、ｗ８、ｗ９およびｗ１０は、独立に０から１２の整数であり、
ただし、ｗ４、ｗ５、ｗ６、ｗ７、ｗ８、ｗ９およびｗ１０は、少なくとも１つが０ではなく、
ｎは、４から９の整数であり、
ｍは、２から８の整数である）。
から選択され、ここで、
該脂肪酸系ポリマーが以下の式
【化１９】
2010508995.tif 000003
（式中、Ａは、６から６０個の炭素原子の脂肪族ヒドロキシカルボン酸エステルであり、Ｂは、８から４０個の炭素原子の不飽和脂肪酸の二酸ダイマーであり、
ｎは、０から３の整数である）を有する、
医薬組成物。
【請求項２】
組成物が最高５０％（ｗ／ｗ）までの水混和性有機液体を含む、請求項１に記載の医薬組成物。
【請求項３】
ポリマーマトリックスが、ポリ（カプロラクトン）、ポリ（エチレングリコールアジパート）、ポリ（プロピレングリコールアジパート）、ポリ（ブチレングリコールアジパート）、ポリ（ヒドロキシブタレート）、ポリ（ヒドロキシバレレート）ならびにその混合物およびコポリマーから成る群から選択されるポリエステルポリマーを含む、請求項１に記載の医薬組成物。
【請求項４】
ポリマーマトリックスがポリ（ε−カプロラクトン）ポリマーを含む、請求項３に記載の医薬組成物。
【請求項５】
Ｒ１、Ｒ２およびＲ３が独立にブタンジオール、ヘキサンジオール、ネオペンチルグリコール、ジエチレングリコール、トリメチロールプロパンおよびペンタエリトリトールから成る群から選択される、請求項１に記載の医薬組成物。
【請求項６】
Ａが次式の構造を有する、請求項１に記載の医薬組成物
【化２０】
2010508995.tif 000004
（式中、ａ、ｂ、ｃ、ｄ、ｅおよびｆは、独立に１〜１５個以上の直鎖状炭素の範囲のアルキル基である）。
【請求項７】
Ｂが次式の構造を有する、請求項１に記載の医薬組成物
【化２１】
2010508995.tif 000005
（式中、ｇ、ｈ、ｉおよびｊは、独立に１〜１５個以上の直鎖状炭素の範囲のアルキル基である）。
【請求項８】
ポリマーマトリックスが４００から８，０００の平均分子量を有するポリエステルポリマーを含む、請求項１に記載の医薬組成物。
【請求項９】
組成物が５５℃で５０から８，０００ｃｐｓの粘度を有する、請求項１に記載の医薬組成物。
【請求項１０】
ポリマーマトリックスまたは組成物が生体侵食性である、請求項１に記載の医薬組成物。
【請求項１１】
活性剤がポリマーマトリックス内で分散する、請求項１〜１０のいずれか１項に記載の医薬組成物。
【請求項１２】
請求項１の医薬組成物および注射器を含むキット。
【誤訳訂正２】
【訂正対象書類名】明細書
【訂正対象項目名】全文
【訂正方法】変更
【訂正の内容】
【発明の詳細な説明】
【発明の名称】水不溶性ポリマーマトリックスを含む涙点プラグ
【技術分野】
【０００１】
本発明は、一般的に移植可能な眼科用組成物の分野に関する。より具体的には、眼の疾患または状態を治療するために使用できる液体の移植可能な組成物に関する。好ましい態様において、治療される眼の疾患または状態は、乾性角結膜炎（すなわち、ドライアイまたはドライアイ症候群）である。
【背景技術】
【０００２】
涙液膜は、眼の表面を保護するために役立つ複合構造物である。涙液膜は、外側の脂質層、内側のムチン層、および脂質層とムチン層との間の水性層の３種類の基本的な層を含む。各層は特定の機能を有する。脂質層は、眼の表面からの涙の蒸発を防ぐ。水性層は、角膜に酸素を提供し、健康な眼にとって重要である更なる化学成分を含有する。ムチン層は、脂質層と水性層との間の相互作用を提供し、角膜上で涙を“球状となること”から防ぐ。
【０００３】
毎年およそ７５０万の中等度または重度のドライアイ症候群の症例が米国で発生している。さらに５００万の人々が、涙液量が不足しているため、コンタクトレンズを装着できない。“ドライアイ”は、結果として正常な涙液膜の障害を生じる角膜の不十分な潤滑を経験することである。この状態は、異物感を伴う軽度の断続的な灼熱および／またはひっかかり感から角膜および結膜疾患（乾性角結膜炎（ＫＣＳ））を伴う重度の水性層分泌不足までに及ぶ多種多様な徴候および症状を含む。
【発明の概要】
【発明が解決しようとする課題】
【０００４】
ドライアイは、乾燥した環境、環境的大気汚染物質、ある全身薬物、自己免疫疾患、薬物毒性、ホルモン欠乏症または変化、そしてコンタクトレンズの装着さえ含む様々な特異的原因および寄与因子を有する可能性がある。しかし、ドライアイ症候群の大多数の症例は２つの基本的原因に関連している。第一に、涙腺からの涙管が詰まるか、機能不全を起こす場合で、このため十分な量の涙が眼に達しない。この原因に応えて、ＡｌｃｏｎＴＭ
Ｌａｂｏｒａｔｏｒｉｅｓ，  Ｉｎｃ．（テキサス州フォートワース）によって販売されるＴＥＡＲＳ  ＮＡＴＵＲＡＬＥＴＭおよびＢＩＯＮＴＭ  ＴＥＡＲＳなどの人工涙液製品が開発された。第二に、涙腺および涙管は眼に十分な量の涙を送ることができるが、涙が急速に眼から排出されて、ドライアイの状態を引き起こす場合がある。これらに対して、涙点を密閉するための様々な方法と装置が開発されている。
【０００５】
最初は、涙点を縫合、または電気もしくはレーザー焼灼によって密閉した。かかる手段は容認可能な結果をもたらしうるが、再建手術なしで元に戻すことはできない。時に、ドライアイは、排液が多すぎるため、または涙の産生が少なすぎるために生じているか判断することが難しいため、かかる手段が患者を不要な外傷にさらす可能性がある。さらに、かかる手段は、結果として涙が眼に絶えず生じ、蓄積して、患者の顔面に流れる状態である流涙を生じさせる可能性がある。
【０００６】
涙点または小管への挿入用の事前成形のコラーゲンプラグが、可逆的な密閉手段を提供するために開発された。コラーゲンプラグは水溶性であり、涙点に挿入すると、典型的に７から１４日の範囲内で溶解する。したがって、コラーゲンプラグは、涙点をより恒久的に密閉することが望ましいか判定するための検査手段として効果的である。
【０００７】
涙点または小管への挿入用の事前成形の水不溶性プラグが様々な米国特許に記載されている。例えば、Ｆｒｅｅｍａｎに属する米国特許第３、９４９、７５０号は、涙点の外側まで達するヘッド部と、涙点および／または小管に達するかえし部とを有するかかるプラグについて記載している。かかるプラグは、眼角に見ることができ、時には不快であり、容易にはずれる。さらに、かかるプラグは、いくぶん挿入が困難であり、時には、これらの大きさや形状により挿入中に組織の損傷を引き起こす。かかるプラグが涙点からはるかに突き出た場合は、これらは強膜に刺激を生じさせる可能性がある。さらに、涙点の組織がかかるプラグによって引き起こされる長期にわたる拡張のために、損傷を受ける可能性がある。
【０００８】
Ｆｒｅｅｍａｎに属する米国特許第５、２８３、０６３号は、そのかえし部に位置する水和されたポートを有する、ヒドロゲル物質から作成された同様なプラグについて記載しており、ここでは小管の液体がかえしに入り、拡張した比較的柔軟な状態にプラグを水和させることを可能にしている。Ｈｅｒｒｉｃｋに属する米国特許第５、７２３、００５号および第５、１７１、２７０号は、小管内の密閉および固定を向上させるために、折り畳み可能なフレアー状部分を有する水不溶性の涙点プラグについて記載している。また、これらプラグの一部は、プラグをさらに固定するために涙点の外側に広がって、小管への移動を防止する保持部分を有する。
【０００９】
Ｓｃｈｍｉｔｔに属する米国特許第５、４６９、８６７号は、それぞれ加熱した流動性のポリマーまたは特定の組成物のポリマー複合体を、涙点を通して小管に注入することによって、涙小管および他の哺乳類のチャネルまたは管を塞ぐ方法について記載している。特定のポリマーおよびポリマー複合体（ｃｏｍｐｏｓｉｔｅ）は、体温で固体および／または非流動性であり、体温よりわずかに高く加熱すると、流動性である、非免疫原性の生体適合性物質である。ポリマーおよびポリマー複合体は、温度をわずか数℃変えることによって、流動性の状態から非流動性の状態へ迅速に変化させることができる。注入後、ポリマーまたはポリマー複合体は冷却および凝固して、小管の寸法に正確に一致するプラグを形成する。しかし、加熱したポリマーおよび加熱した送達装置は、挿入中に繊細な組織構造に損傷を起こしうる熱傷を生じさせる可能性がある。その他の懸念は、ポリマーの溶融温度である。溶融温度が対象の体温より高い場合、繊細な組織に対する熱傷の著しいリスクがある。さらに、溶融温度が４５℃未満の場合、対象が、熱があるか、暖炉の前に座る時など、望ましくない軟化が起こり得る。これは涙器系からこの物質が失われる結果となり得る。
【課題を解決するための手段】
【００１０】
本発明は、例えば、以下の項目を提供する。
（項目１）
ポリマーマトリックスの融点が６０℃未満であり、組成物が室温で液体またはペーストで、対象のチャネルを塞ぐように配合される、ポリエステルポリマーもしくは脂肪酸系ポリマー、または両方のポリマーの混合物を含む水不溶性ポリマーマトリックスを含む医薬組成物。
（項目２）
組成物が最高５０％（ｗ／ｗ）までの水混和性有機液体を含む、項目１に記載の医薬組成物。
（項目３）
ポリマーマトリックスが、ポリ（カプロラクトン）、ポリ（エチレングリコールアジパート）、ポリ（プロピレングリコールアジパート）、ポリ（ブチレングリコールアジパート）、ポリ（ヒドロキシブタレート）、ポリ（ヒドロキシバレレート）ならびにその混合物およびコポリマーから成る群から選択されるポリエステルポリマーを含む、項目１に記載の医薬組成物。
（項目４）
ポリマーマトリックスがポリ（ε−カプロラクトン）ポリマーを含む、項目３に記載の医薬組成物。
（項目５）
ポリマーマトリックスが次式から成る群から選択されるポリエステルポリマーを含む、項目１に記載の医薬組成物
【化１７】
2010508995.tif 000006
【化１８】
2010508995.tif 000007
（式中、Ｒ１、Ｒ２およびＲ３は、独立に２から８個の炭素原子の、アルキルおよびアルコキシルのジオール、トリオールおよびテトラオールから成る群から選択され、
ｗ、ｗ１は、独立に４から１２の整数であり、
ｗ２、ｗ３は、独立に１から１２の整数であり、
ｗ４、ｗ５、ｗ６、ｗ７、ｗ８、ｗ９およびｗ１０は、独立に０から１２の整数であり、
ｎは、４から９の整数であり、
ｍは、２から８の整数である）。
（項目６）
Ｒ１、Ｒ２およびＲ３が独立にブタンジオール、ヘキサンジオール、ネオペンチルグリコール、ジエチレングリコール、トリメチロールプロパンおよびペンタエリトリトールから成る群から選択される、項目５に記載の医薬組成物。
（項目７）
ポリマーマトリックスが次式の構造を有する脂肪酸系ポリマーを含む、項目１に記載の医薬組成物
【化１９】
2010508995.tif 000008
（式中、Ａは、６から６０個の炭素原子の脂肪族ヒドロキシカルボン酸エステルであり、Ｂは、８から４０個の炭素原子の不飽和脂肪酸の二酸ダイマーであり、
ｎは、０から３の整数である）。
（項目８）
Ａが次式の構造を有する、項目７に記載の医薬組成物
【化２０】
2010508995.tif 000009
（式中、ａ、ｂ、ｃ、ｄ、ｅおよびｆは、独立に１〜１５個以上の直鎖状炭素の範囲のアルキル基である）。
（項目９）
Ｂが次式の構造を有する、項目７に記載の医薬組成物
【化２１】
2010508995.tif 000010
（式中、ｇ、ｈ、ｉおよびｊは、独立に１〜１５個以上の直鎖状炭素の範囲のアルキル基である）。
（項目１０）
ポリマーマトリックスが４００から８，０００の平均分子量を有するポリエステルポリマーを含む、項目１に記載の医薬組成物。
（項目１１）
組成物が５５℃で５０から８，０００ｃｐｓの粘度を有する、項目１に記載の医薬組成物。
（項目１２）
ポリマーマトリックスまたは組成物が生体侵食性である、項目１に記載の医薬組成物。（項目１３）
活性剤がポリマーマトリックス内で分散する、項目１に記載の医薬組成物。
（項目１４）
チャネルに項目１の医薬組成物を投与することを含む対象の小管チャネルまたは涙点チャネルを塞ぐ方法。
（項目１５）
チャネルに組成物を投与する前に医薬組成物が予熱されない、項目１４に記載の方法。（項目１６）
医薬組成物が針でチャネルに注入される、項目１４に記載の方法。
（項目１７）
対象の小管または涙点チャネルに項目１の医薬組成物を投与し、組成物が対象の小管チャネルまたは涙点開口部を通した眼からの涙液の排液を減少させることを含む対象のドライアイ症候群を治療する方法。
（項目１８）
医薬組成物が小管または涙点チャネルの形状と一致する、項目１７に記載の方法。
（項目１９）
医薬組成物が注入可能なペーストまたは液体に配合される、項目１７に記載の方法。
（項目２０）
項目１の医薬組成物および注射器を含むキット。
本発明は、対象のチャネルを塞ぐために使用できる注入可能な組成物に配合できる、生体適合性の水不溶性マトリックスを提供することによって当該技術分野の欠陥を克服する。
【００１１】
より具体的には、本発明は、一般的にポリエステルポリマーもしくは脂肪酸系ポリマー、または両方のポリマーの混合物を含む水不溶性ポリマーマトリックスを含む医薬組成物であって、ポリマーマトリックスの融点が６０℃未満であり、組成物が室温で液体またはペーストで、対象のチャネルを塞ぐように配合される医薬組成物に関する。
【００１２】
“対象”（ｓｕｂｊｅｃｔ）という用語は、霊長類、哺乳類および脊椎動物などのヒトまたはヒト以外の任意をいう。特定の実施形態において、対象はヒトである。
【００１３】
本明細書において“チャネル”は、対象における管状の流路をいうものと定義される。特定の実施形態において、チャネルは、小管チャネルまたは涙点チャネル（ｐｕｎｃｔａｌ  ｃｈａｎｎｅｌ）である。
【００１４】
本発明の文脈で使用する“塞ぐ”または“閉塞”は、本発明の組成物の非存在下で流路に関連したチャネルを通して流路を塞ぐ、または遮断することをいう。したがって、本明細書で使用する“塞ぐ”は、チャネルの全体的および部分的閉塞をいう。
【００１５】
閉塞の期間は、永続的または一時的であり得る。閉塞は、任意の期間にわたり継続し得る。例えば、特定の実施形態において、組成物を、少なくとも１年間チャネルを塞ぐように配合する。他の実施形態において、組成物を、１年未満チャネルを塞ぐように配合する。
【００１６】
組成物は、当業者に公知の任意の更なる成分を含み得る。例えば、いくつかの実施形態において、組成物は、最高２０％までの水混和性有機液体を含む。水混和性有機溶剤は、ポリマーマトリックスと混和性でもよく、または混和性でなくてもよい。特定の実施形態において、水混和性有機液体は、ポリマーマトリックス内で混合性である。
【００１７】
ポリエステルポリマーは、当業者に公知の任意のポリエステルポリマーであり得る。例えば、ポリマーマトリックスは、ポリ（カプロラクトン）、ポリ（エチレングリコールアジパート）、ポリ（プロピレングリコールアジパート）、ポリ（ブチレングリコールアジパート）、ポリ（ヒドロキシブタレート）、ポリ（ヒドロキシバレレート）ならびにその混合物（ｂｌｅｎｄ）およびコポリマーから成る群から選択されたポリエステルポリマーを含み得る。特定の実施形態において、ポリマーマトリックスは、ポリ（カプロラクトン）ポリマーを含む。例えば、ポリマーマトリックスは、次式から成る群から選択されたポリエステルポリマーを含み得る
【００１８】
【化１】
2010508995.tif 000011
【００１９】
【化２】
2010508995.tif 000012
（式中、Ｒ１、Ｒ２およびＲ３は、独立に２から８個の炭素原子の、アルキルおよびアルコキシルのジオール、トリオールおよびテトラオールから成る群から選択され、
ｗ、ｗ１は、独立に４から１２の整数であり、
ｗ２、ｗ３は、独立に１から１２の整数であり、
ｗ４、ｗ５、ｗ６、ｗ７、ｗ８、ｗ９およびｗ１０は、独立に０から１２の整数であり、
ｎは、４から９の整数であり、
ｍは、２から８の整数である）。
【００２０】
Ｒ１、Ｒ２およびＲ３のアルキルおよびアルコキシルのジオール、トリオールおよびテトラオールの非限定的な例は、ブタンジオール、ヘキサンジオール、ネオペンチルグリコール、ジエチレングリコール、トリメチロールプロパンおよびペンタエリトリトールを含む。Ｒ１がブタンジオールであるポリエステルポリオールの例は、次式の通りである。
【００２１】
【化３】
2010508995.tif 000013
本発明の医薬組成物の脂肪酸系ポリマーは、当業者に公知の任意の脂肪酸系ポリマーであり得る。例えば、ポリマーマトリックスは、次式の構造を有する脂肪酸系ポリマーを含み得る
【００２２】
【化４】
2010508995.tif 000014
（式中、Ａは、６から６０個の炭素原子の脂肪族ヒドロキシカルボン酸エステルであり、
Ｂは、８から４０個の炭素原子の不飽和脂肪酸の二酸ダイマーであり、
ｎは、０から３の整数である）。
【００２３】
本明細書において“脂肪族ヒドロキシカルボン酸エステル”は、１つ以上のヒドロキシ基および１つ以上のエステル基を含む直鎖、分枝鎖および／または環状の脂肪族炭化水素鎖をいうものと定義される。例えば、いくつかの実施形態において、Ａは、次式の構造を有する
【００２４】
【化５】
2010508995.tif 000015
（式中、ａ、ｂ、ｃ、ｄ、ｅおよびｆは、独立に１〜１５個以上の直鎖状炭素の範囲のアルキル基である）。
【００２５】
本明細書において“二酸ダイマー”は、少なくとも２つの脂肪族ヒドロキシカルボン酸エステルに共有結合している少なくとも２つのカルボン酸置換基を含む５〜８個の炭素の環状の脂肪族および／または芳香族炭化水素コア構造を含むダイマーをいうものと定義される。コア構造は、Ｈおよび／または１〜１５個の炭素のアルキル基などの更なる置換基を含み得る。いくつかの実施形態において、Ｂは、次式の構造を有する
【００２６】
【化６】
2010508995.tif 000016
（式中、ｇ、ｈ、ｉおよびｊは、独立に１〜１５個以上の直鎖状炭素の範囲のアルキル基である）。
【００２７】
ポリマーマトリックスは、任意の分子量のポリマーを含有し得る。いくつかの実施形態において、ポリマーマトリックスは、４００から８，０００の平均分子量を有するポリマーを含有する。さらに、ポリマーマトリックスは、任意の粘度でもよい。特定の実施形態において、ポリマーマトリックスの粘度は、５５℃で５０から８，０００ｃｐｓである。
【００２８】
ポリマーマトリックスは、生体侵食性（ｂｉｏｅｒｏｄｉｂｌｅ）であっても、生体侵食性でなくてもよい。特定の実施形態において、ポリマーマトリックスまたは組成物は、生体侵食性である。
【００２９】
特定の実施形態において、１種以上の活性剤を、ポリマーマトリックス内で分散させる。活性剤は、所望の作用を生じさせるために使用できる任意の成分、化合物または小分子を含むが、これに限定されるものではない。例えば、所望の作用は、疾患または状態の診断、治癒、緩和、治療または予防を含み得る。特定の実施形態において、活性剤は薬物である。
【００３０】
いくつかの実施形態において、組成物を、所定の期間に活性剤を制御放出させるように配合する。制御放出製剤は、当業者に周知で、本明細書の別の箇所で述べている。
【００３１】
活性剤は、当業者に公知の任意の活性剤であり得る。特定の実施形態では、活性剤は点眼薬である。活性剤は溶液または懸濁液の状態であっても、なくてもよい。
【００３２】
組成物は、当業者に公知の任意の様式で配合することができる。いくつかの実施形態において、組成物は、注入可能なペーストまたは液体に配合される。
【００３３】
いくつかの実施形態において、組成物は、組成物のチャネルへの注入に適した注射器または他の装置に含まれる。
【００３４】
また、本発明は、一般的に本発明の医薬組成物の１つを対象のチャネルに投与することに関係した対象のチャネルを塞ぐ方法に関する。組成物は、投与に先立ち予熱を必要とすることも、必要としないこともある。特定の実施形態において、医薬組成物を、チャネルに組成物を投与する前に予熱しない。前述のように、チャネルは、任意のチャネルであり得る。チャネルの１つの例は、小管チャネルである。別の例は、涙点チャネルである。
【００３５】
チャネルは、任意の期間にチャネルを塞ぐために配合することができる。特定の実施形態において、チャネルは、少なくとも１年間塞がれる。他の実施形態において、チャネルは、１週間、１カ月などの短期間塞がれる。
【００３６】
当業者に公知の組成物を投与する任意の方法が、本発明によって企図される。例えば、いくつかの実施形態において、医薬組成物を針でチャネルに注入する。
【００３７】
医薬組成物は、任意の粘度であり得る。いくつかの実施形態において、医薬組成物は、非流動性である。他の実施形態において、医薬組成物は、チャネルの形状に一致する。
【００３８】
また、本発明は、一般的に対象の小管または涙点チャネルに本発明の医薬組成物を投与し、組成物が対象の小管チャネルまたは涙点開口部を通した眼からの涙液の排液を減少させることに関係する対象のドライアイ症候群を治療する方法に関する。いくつかの実施形態において、医薬組成物は、小管または涙点チャネルに組成物を投与する前に予熱されない。
【００３９】
対象に投与される医薬組成物は、流動性でも、流動性でなくてもよい。いくつかの実施形態において、医薬組成物を、小管または涙点チャネルの形状に形成する。他の実施の形態において、医薬組成物を、注入可能なペーストまたは液体に配合する。
【００４０】
また、本発明は、本発明の医薬組成物および対象に医薬組成物を投与するための装置を含むキットに関する。キットについて、下記の明細書において更に詳細に述べる。医薬組成物を投与するための装置は、当業者に公知の任意の装置であり得る。例えば、装置は、注射器を含み得る。また、針を含み得る。
【００４１】
本明細書に記載される任意の実施形態を、本発明の任意の方法または組成物（および、その逆も）に関して実施することができることが企図される。さらに、本発明の組成物を、本発明の方法を達成するために使用することができる。
【００４２】
“室温”は、所定の部屋（例えば、研究室、薬品戸棚、浴室など）の周囲温度を含み、最も標準的場合で、これは約１５℃から約２５℃の温度を含む。
【００４３】
“チャネルを塞ぐ”もしくは“チャネルを遮断する”という語句またはこれらの語句の任意のバリエーションは、本請求項および／または明細書で使用される場合、チャネルを通した別の物質の輸送または移動を妨害および／または完全に防止する物質でチャネル、流路、開口部、腔または空間の少なくとも一部または部分を部分的および／または完全に満たすプロセスをいう。この“別の物質”は、精子、卵子、涙もしくは血液などの生物起源であるか、または金属棒もしくはピンなどの人工補装具であり得る。好ましい実施形態において、チャネルは、すべての流れを完全に遮断および防止される。
【００４４】
“生体侵食性である”という用語は、生物環境的合図（例えば、標的部位の酸性度、温度または水分、標的部位での酵素、タンパク質または他の分子の存在）の作用による、本発明の組成物および／またはポリマーの分解、脱重合または消化を含む。
【００４５】
“マトリックス”という用語は、本発明のポリマーの物理構造に関する。ある実施形態においては、活性剤をポリマーマトリックスと混合することができる。
【００４６】
“対象”という用語は、霊長類、哺乳類および脊椎動物などのヒトまたはヒト以外のいずれかをいう。特定の実施形態において、対象はヒトである。
【００４７】
“約”または“およそ”という用語は、当業者により理解されるように、近似であると定義され、非限定的な一実施形態では、本用語は１０％以内、好ましくは５％以内、より好ましくは１％以内および最も好ましくは０．５％以内であると定義される。
【００４８】
“阻害すること”、“減少すること”もしくは“防止”という用語、またはこれら用語の任意のバリエーションは、本請求項および／または明細書で使用される場合、所望の結果を達成するための、任意の測定可能な減少または完全な阻害を含む。
【００４９】
“有効な”という用語は、本用語が本明細書および／または請求項で使用される場合、所望の、期待される、または意図される結果を達成するのに十分であることを意味する。
【００５０】
“ａ”または“ａｎ”という単語の使用は、本請求項および／または明細書において“含む”という用語と関連して使用される場合、“１つ”を意味し得るが、“１つ以上”、“少なくとも１つ”および“１つまたは２つ以上”の意味とも一致する。
【００５１】
本請求項において“または”という用語の使用は、開示が単に選択肢および“および／または”をいう定義を支持するにもかかわらず、選択肢のみ、または選択肢が相互排他的であることが明確に示されない限り、“および／または”を意味するために使用される。
【００５２】
この明細書と請求項で使用される場合、“含むこと（ｃｏｍｐｒｉｓｉｎｇ）”（および“含む”など、含むことの任意の形態）、“有すること”（および“有する”など、有することの任意の形態）、“含むこと（ｉｎｃｌｕｄｉｎｇ）”（および“含む”など、含むことの任意の形態）、または“含有すること”（および“含有する”など、含有することの任意の形態）は、包含的または非制限的であって、更なる列挙されていない要素または方法ステップを排除するものではない。
【００５３】
本発明の他の目的、特徴および利点は、下記の詳細な説明から明かとなろう。しかし、詳細な説明および例は、本発明の具体的な実施形態を示しているが、単に例示として示されるものであることを理解しなくてはならない。さらに、本発明の趣旨および適用範囲内の変更および修正がこの詳細な説明によって当業者に明らかになることが企図される。
【図面の簡単な説明】
【００５４】
以下の図面は、本明細書の一部を形成し、本発明のある非限定的な態様をさらに示すために含まれる。本発明は、本明細書において示される具体的な実施形態の詳細な説明と併せて、これらの図面の１つ以上を参考として、よりよく理解することができる。
【図１】哺乳類の眼の涙管系を示す断面概略図である。
【図２】本発明の組成物で遮断された小管チャネルの断面概略図である。
【発明を実施するための形態】
【００５５】
特に明記しない限り、百分率として示される全ての成分量は、パーセント重量／重量の用語（重量％）である。
【００５６】
上記のように、毎年およそ７５０万例の中等度または重度のドライアイ症候群の症例が、米国で発生している。状態は、異物感を伴う軽度の断続的な灼熱および／またはひっかかり感から角膜および結膜疾患（乾性角結膜炎（ＫＣＳ））を伴う重度の水性層分泌不足までの範囲に及ぶ多種多様な徴候および症状を含む。現在の治療法の選択肢は、しばしば無効であり、取り扱いにくい場合がある。例えば、涙点または小管への挿入用の事前成形の水不溶性プラグは、時には不快で、容易にはずれる。さらに、予熱を必要とする注入可能な組成物は扱いにくい場合があり、専門の用具を必要とする可能性がある。
【００５７】
本発明は、対象のチャネルを塞ぐために使用できる注入可能な液体組成物またはペーストに配合することができる、生体適合性の水不溶性マトリックスを提供することによって当該技術分野のこれらの欠陥を克服する。水不溶性マトリックスは、生体侵食性ポリエステルポリマーもしくは非生体侵食性脂肪酸系ポリエステルポリマー、またはその混合物を含み得る。ある態様において、本組成物は、哺乳類の眼の小管または涙点チャネルに本組成物を投与することによって、ドライアイ症候群を治療するために使用することができる。
【００５８】
これらおよび他の非限定的な本発明の態様は、以下の節にさらに詳細に記載される。
【００５９】
Ａ．治療の適用
一般的に、本発明の組成物を、任意のタイプのチャネルを遮断する（例えば、任意のタイプの生物および非生物内のチャネルを遮断し、そして生物系外の全タイプのチャネルおよび管状装置でさえ遮断する）ために使用することができる。本発明の組成物を使用したチャネルの遮断は、宿主内のチャネル内またはチャネル外への物質の移動を防止または減少できる。
【００６０】
典型的に、本発明の組成物を、注入装置（例えば、そのチェンバー内に本発明の組成物を保持するか、含有することでき、遮断する管またはチャネルに容器から組成物を注入または押し出すことができる任意の装置）によってチャネルに挿入することができる。使用できる注入装置の非限定的な例は、医療専門家に一般的に公知および入手可能なプラスチック先端アプリケータ、カテーテル、リザーバ、プランジャ、放出システム、プラスチックチューブ、微細カニューレ、テーパカニューレならびに様々なタイプの注射器および皮下針を含む。注入装置において提供されるポリマー物質の量は、遮断される特定のチャネル、ならびに所望の遮断の量およびタイプによって変動し得る。当業者は、注入装置内に含まれる組成物の量が遮断されるチャネルの大きさに依存しうることを理解するであろうことが企図される。さらに、注入装置の先端またはノズルの大きさは、配置されるチャネルの内径に関連しうる。例えば、２４ゲージ針は、小管に通じている涙点の開口部内に容易にはまる。
【００６１】
１．ドライアイ症候群
特定の実施形態において、本発明の組成物は、ドライアイ症候群を治療するために使用することができる。図１は、哺乳類の眼１０の涙管系を図示したものである。涙管系は、下涙小管１４に接続した下涙点１２、および上涙小管１８に接続した上涙点１６を含む。小管１４および１８は、涙嚢２０および鼻涙管２２に接続している。涙腺２４は、涙管２６を通して眼１０に接続している。一般的に、涙は涙腺２４によって産生され、眼１０に涙管２６を通して供給される。そして、涙は涙点１２および小管１４、涙点１６および小管１８、ならびに鼻涙管２２を通して眼１０から排出される。
【００６２】
上記のように、ドライアイ症候群の影響は、哺乳類の眼１０の小管１４、１８または涙点１２、１６チャネルを塞ぐことによって治療することができ、これにより小管および涙点チャネルを通した眼からの涙液の排液を減少または防止することができる。例えば、注入装置のノズルを、下涙点または上涙点開口部を通して、涙点１２、１６および／または小管１４、１８チャネルに挿入することができる。組成物を、ノズルから、チャネルに注入することができる。注入は、所望の量の遮断が得られるまで継続する。場合によっては、チャネルの一部のみを遮断する（すなわち、部分的な流れを許容する）、またはチャネル全体を遮断することが望ましいことがある。ある態様において、組成物を、チャネルに注入し、チャネルを満たし、遮断されているチャネルの内面壁にポリマー物質を一致させることができる。その後で、注入装置のノズルは、引き出される。
【００６３】
図２は、本発明の組成物（３０および３２）によって遮断または閉塞されたそれぞれ涙小管１４および１８を図示する。図２に示すように、組成物３０および３２は、小管１４および１８を完全に遮断しているが、必要に応じて、組成物を単に小管１４および１８を部分的に遮断するような様式で配合および／または挿入することができる。さらに、必要に応じて、組成物３０および３２を、膨大部１９および２１、または図１および２に示されるチャネルの任意の他の部分に拡張するように形成することもできる。
【００６４】
２．塞ぐことができる他のチャネルの非限定的な例
本発明によって遮断できる他のチャネルの非限定的な例は、卵管、精管、動脈、血管および骨内腔を含む。したがって、本発明の組成物は、特定のチャネルの閉塞を実施する他の治療適用に使用できることが企図される。例えば、Ｓｃｈｍｉｔｔに属する米国特許第５、４６９、８６７号（援用したものとする）は、注入可能な組成物を該当するチャネルに挿入することによって、生殖チャネルを塞ぎ、血液供給を閉鎖し、脈管異常を修正し、頭蓋タップのために一時的に作成したチャネルを閉鎖し、骨内腔でピンを固定するための方法を記載している。また、本発明の組成物は、類似した方法で使用できることが企図される（すなわち、部分的または完全にチャネルを遮断するために、該当するチャネルに組成物を注入する）。
【００６５】
Ｂ．水不溶性ポリマーマトリックス
本発明の水不溶性ポリマーマトリックスを、対象のチャネルを塞ぐために使用できる注入可能な液体またはペーストに配合することができる。ある態様において、ポリマーマトリックスは、６０℃未満の融点を有する。マトリックスは、好ましくは４００から８，０００の平均分子量および／または５５℃で５０〜８，０００ｃｐｓの粘度を有するポリマーを含む。
【００６６】
１．生体侵食性ポリエステルポリマー
本発明のマトリックスは、ポリエステルポリマーを含み得る。使用可能な生体侵食性ポリエステルポリマーの非限定的な例は、ポリ（ε−カプロラクトン）、ポリ（アルキレングリコールアジパート）（例えば、ポリ（エチレングリコールアジパート）、ポリ（プロピレングリコールアジパート）、ポリ（ブチレングリコールアジパート））ならびにその混合物およびコポリマーを含む。ポリ（カプロラクトン）ポリマーは、好ましいポリエステルポリマーであり、商品名ＴＯＮＥＴＭ  ＰｏｌｙｏｌおよびＣＡＰＡＴＭ  Ｐｏｌｙｏｌの下で、それぞれＤｏｗ  Ｃｈｅｍｉｃａｌ  Ｃｏｍｐａｎｙ（所在地ミシガン州ミッドランド）およびＳｏｌｖａｙ  Ｃｈｅｍｉｃａｌｓ，  Ｉｎｃ．（所在地テキサス州ヒューストン）から市販されている。
【００６７】
下記の表１は、本発明の文脈で使用され得る水不溶性ポリエステルポリマーマトリックスの非限定的な例を含む。これらのポリマーは、ポリカプロラクトンに基づく。これらのポリマーの物理的特性および商業的入手性を、表１にリストアップする。
【００６８】
【表１】
2010508995.tif 000017
ＰＣＬ−９００＝Ｔｏｎｅ３１０＝ＣＡＰＡ３０９１＝トリオールとしてＴＭＰ含有ポリカプロラクトントリオール
ＣＡＰＡ２１０１Ａ＝Ｔｏｎｅ２２２１＝ジオールとしてＮＰＧ含有ポリカプロラクトンジオール
ＣＡＰＡ  ＰＬ−１０００＝ポリオールを含まない１，０００のｍｗでのポリカプロラクトン
Ｔｏｎｅ１２３２＝ジオールとしてブタンジオール（ＢＤＯ）含有ポリカプロラクトンジオール
ＴＭＰ＝トリメチロールプロパン
ＮＰＧ＝ネオパンチルグリコール
ＢＤＯ＝ブタンジオール
ＰＥＮＴＡ＝ペンタエリトリトール。
【００６９】
表１のポリマーの侵食（ｅｒｏｓｉｏｎ）速度は、ｐＨ７．４でリン酸緩衝食塩水（ＰＢＳ）中に保存後、重量減少をモニタリングすることによって測定した。重量減少は、３７℃でＰＢＳ食塩水にポリマーを曝露後に測定した。食塩水を除去し、バイアルを乾燥させ、重量減少を測定した。２週および４週後の侵食速度を以下の表２に示す。また、食塩水のｐＨ（最初はｐＨ７．４）を、以下に報告する。
【００７０】
【表２】
2010508995.tif 000018
＊３７℃、ｐＨ７．４でＰＢＳ１０ｍｌ中にポリマー１ｇ
＊＊３７℃、ｐＨ７．４でＰＢＳ２０ｍｌ中にポリマー１ｇ
＊＊＊３７℃、ｐＨ７．４でＰＢＳ２０ｍｌ中にポリマー０．５ｇ
ＮＴ＝試験せず。
【００７１】
他の非限定的な態様において、本発明のポリエステルポリマーを、次式から成る群から選択することができる
【００７２】
【化７】
2010508995.tif 000019
【００７３】
【化８】
2010508995.tif 000020
（式中、Ｒ１、Ｒ２およびＲ３は、独立に２から８個の炭素原子の、アルキルおよびアルコキシルのジオール、トリオールおよびテトラオールから成る群から選択され、
ｗ、ｗ１は、独立に４から１２の整数であり、
ｗ２、ｗ３は、独立に１から１２の整数であり、
ｗ４、ｗ５、ｗ６、ｗ７、ｗ８、ｗ９およびｗ１０は、独立に０から１２の整数であり、
ｎは、４から９の整数であり、
ｍは、２から８の整数である）。
【００７４】
Ｒ１、Ｒ２およびＲ３のアルキルおよびアルコキシルのジオール、トリオールおよびテトラオールの非限定的な例は、ブタンジオール、ヘキサンジオール、ネオペンチルグリコール、ジエチレングリコール、トリメチロールプロパンおよびペンタエリトリトールを含む。
【００７５】
本発明のポリエステルポリマーマトリックスを、当業者に公知の多くの異なるプロセスによって調製することができる。例えば、ポリエステルポリマーマトリックスは、粘度を減少させるために加熱し、例えば、０．２２μｍメンブランフィルターを使用することによる滅菌フィルタリングによって調製することができる。さらに、ポリマーマトリックスを、当業者に公知の多くの異なるプロセスによって滅菌することができる。例えば、ポリマーマトリックスは、乾熱、ガンマ照射または他の一般の滅菌法によって滅菌することができる。
【００７６】
本発明のポリエステルポリマーマトリックスは、一般的に少なくとも５０％、好ましくは少なくとも７０％、およびより好ましくは少なくとも８０％の量のポリエステルポリマーを含む。いくつかの実施形態において、組成物は、少なくとも８５％の量のポリエステルポリマーを含む。他の実施形態において、本発明の組成物は、少なくとも９５％の量のポリエステルポリマーを含む。さらに別の実施形態において、組成物は、少なくとも９９％の量のポリエステルポリマーを含む。
【００７７】
２．脂肪酸系ポリエステルポリマー
本発明のマトリックスは、脂肪酸系ポリマーを含み得る。脂肪酸系ポリエステルは、現在、多種多様な生成物（例えば、コーティング剤、接着剤、シーリング材、エラストマ材および泡沫剤）で使用されており、また化粧品およびパーソナルケア製品での使用が見られている。ある脂肪酸系ポリマーはダイマーであり、かかるダイマーの非限定的な例は、例えば次式の構造を含む
【００７８】
【化９】
2010508995.tif 000021
（式中、Ａは、６から６０個の炭素原子の脂肪族ヒドロキシカルボン酸エステルであり、Ｂは、８から４０個の炭素原子の不飽和脂肪酸の二酸ダイマーであり、ｎは、０から３の整数である）。ある実施形態において、Ａの脂肪族ヒドロキシカルボン酸エステルは、次式の構造を有する
【００７９】
【化１０】
2010508995.tif 000022
（式中、ａ、ｂ、ｃ、ｄ、ｅおよびｆは、互いに独立に１〜１５個以上の直鎖状炭素の範囲のアルキル基である）。ある実施形態において、Ｂの不飽和脂肪酸の二酸ダイマーは、次式の構造を有する
【００８０】
【化１１】
2010508995.tif 000023
（式中、ｇ、ｈ、ｉおよびｊは、互いに独立に１〜１５個以上の直鎖状炭素の範囲のアルキル基である）。ある特定の実施例において、Ａは、次式である。
【００８１】
【化１２】
2010508995.tif 000024
ある特定の実施例において、Ｂは、次式である。
【００８２】
【化１３】
2010508995.tif 000025
また、本発明の脂肪酸系ポリマーは、次式の構造によって表すことができる
【００８３】
【化１４】
2010508995.tif 000026
（式中、Ａは、次式であり、
【００８４】
【化１５−１】
2010508995.tif 000027
Ｂは、次式であり、
【００８５】
【化１５−２】
2010508995.tif 000028
Ｒ１、Ｒ２、Ｒ３、Ｒ５およびＲ６は、互いに独立に１〜３０個以上の直鎖状炭素の範囲のアルキル基である）。
【００８６】
かかる脂肪酸系ポリエステルを、ジオールまたはポリオール（例えば、脂肪族ヒドロキシカルボン酸）と脂肪酸ダイマーとのエステル化反応によって調製する。脂肪酸系ダイマーの例は、硬化ヒマシ油ダイマージリノール酸であり、Ｋｏｋｙｕ  Ａｌｃｏｈｏｌ  Ｋｏｇｙｏ  Ｃｏ．，Ｌｔｄ（所在地、日本、東京）（例えば、ＲＩＳＣＯＣＡＳＴ、３，９００および６，８００ｇ／ｍｏｌ分子量）から入手可能である。
【００８７】
【化１６】
2010508995.tif 000029
上記のダイマーなどの脂肪酸系ポリマーは、他のポリマー（例えば、ポリエーテルおよびポリウレタン）に勝る多くの利点を有する。例えば、脂肪酸系ポリマーは、緩徐な生分解を受けるのみで、熱、酸化および紫外（ＵＶ）線に比較的安定である。さらに、比較的少ないエステル結合を囲む疎水性環境は、有機化合物との互換性、および他のポリエステルポリオールと比べて比較的高い加水分解安定性をもたらす。また、これらエステルの加水分解安定性は、酸、アルカリおよびアルコールによる抵抗をもたらす。
【００８８】
脂肪酸系ポリマーの他の特性は、あるポリオールおよびポリエーテル（例えば、１，４−ブタンジオール−アジパート（ＢＤＯ−アジパート）、ポリプロピレングリコール（ＰＰＧ）およびポリブタジエン−ジオール（ＰＢ−ジオール））に比べて引張強さおよび伸張性の良好な維持、良好な衝撃強さと併せた柔軟性および低エネルギー表面に対する付着性を含む。例えば、商品名ＰＲＩＰＬＡＳＴ（１，３００〜３，２００ｇ／ｍｏｌの分子量範囲）の下でＵｎｉｑｅｍａ（所在地オランダ、ゴーダ）によって販売される脂肪酸系ポリエステルポリオールダイマーは、これらの特性を示す。また、ＰＲＩＰＬＡＳＴポリマーは、良好な伸張性、引張強さおよびＳｈｏｒｅ  Ａ硬度などの特性を特徴とするポリウレタンに容易に変換することができる。本発明の文脈で使用されると、ＰＲＩＰＬＡＳＴおよび／またはＲＩＳＣＯＣＡＳＴなどの脂肪酸系ポリマーは、上記のような好ましい特性をもたらす可能性がある。
【００８９】
Ｃ．活性剤
ある非限定的な態様において、本発明の水不溶性ポリマーマトリックスは、活性剤を含み得る。活性剤は、所望の作用をもたらすために使用できる任意の成分、化合物または小分子を含むが、これに限定されるものではない。本発明の所望の作用の非限定的な例は、治療効果を含む。例えば、所望の作用は、疾患または状態の診断、治癒、緩和、治療または予防を含み得る。また、活性剤は、対象の身体部分または器官の構造または機能に影響を及ぼし得る。
【００９０】
ある実施形態において、活性剤は疎水性薬物である。疎水性活性剤は、水性媒体に難溶性の（例えば、水性組成物で投与される濃度で媒体に完全に溶解されない）薬剤を含む。したがって、使用および濃度によって、活性剤は、ある状況において水不溶性であるが、別の状況において水不溶性でないと考慮できる。しかし、当業者は、本発明の文脈の中で、活性剤が疎水性薬物である必要がないことを認めるであろう。
【００９１】
活性剤の好ましいクラスは、点眼薬を含む。非限定的な例は、抗緑内障剤、抗血管新生剤、抗感染剤、抗炎症剤、成長因子、免疫抑制剤および抗アレルギー剤を含む。抗緑内障剤は、β遮断剤（例えば、チモロール、ベタキソロール、レボベタキソロールおよびカルテオロール）、縮瞳剤（例えば、ピロカルピン）、炭酸脱水酵素阻害剤（例えば、ブリンゾールアミドおよびドルゾラミド）、プロスタグランジン（例えば、トラボプロスト、ビマトプロストおよびラタノプロスト）、セレトネルジック、ムスカリン、ドーパミン作動性アゴニスト、およびアドレナリン作用性アゴニスト（例えば、アプラクロニジンおよびブリモニジン）を含む。抗血管新生剤は、酢酸アネコルタブ（ＲＥＴＡＡＮＥＴＭ、ＡｌｃｏｎＴＭ  Ｌａｂｏｒａｔｏｒｉｅｓ，  Ｉｎｃ．、テキサス州フォートワース）および受容体型チロシンキナーゼ阻害剤を含む。抗感染剤は、キノロン（例えば、シプロフロキサシン、モキシフロキサシンおよびガチフロキサシン）およびアミノグリコシド（例えば、トブラマイシンおよびゲンタミシン）を含む。抗炎症剤は、非ステロイド性およびステロイド性抗炎症剤（例えばスプロフェン、ジクロフェナク、ケトロラク、ネパフェナク、リメキソロンおよびテトラヒドロコルチゾル）を含む。成長因子は、ＥＧＦを含む。抗アレルギー剤は、オロパタジンおよびエピナスチンを含む。点眼薬は、マレイン酸チモロール、酒石酸ブリモニジンまたはナトリウムジクロフェナクなどの薬学的に許容される塩の形態で存在し得る。
【００９２】
一実施形態において、点眼薬は、炭酸脱水酵素阻害剤、β遮断剤、プロスタグランジン、ブラジキニンアゴニスト、ｒｈｏキナーゼ阻害剤、ＣＮＰ受容体アゴニストおよびグアニル酸シクラーゼアクチベータなどの眼圧下降薬の既知のクラスから成る群から選択される。
【００９３】
点眼薬は本発明の好ましい活性剤であるが、発明者は他の活性剤が使用できることを企図する。以下は、これらの他の活性剤の非限定的な例を含み、一部のこれらの活性剤が上記で定義された点眼薬に対してジェネリックまたは同一であり得ることを認識すべきである。この理由は、一部の点眼薬が他の疾患または状態を治療または防止するために使用できるためである。さらに、上記の節で定義されていない以下の活性剤の一部も、眼の疾患または状態を治療するために使用できる可能性がある。核酸、タンパク質およびペプチド、ホルモンおよびステロイド、化学療法剤、ＮＳＡＩＤ、ワクチン成分、鎮痛剤、抗生物質、抗抑うつ剤などの活性剤は、本発明の文脈において有用であると企図される。
【００９４】
Ｄ．医薬組成物
好ましい態様において、本発明の医薬組成物は、室温で液体である。ある態様において、活性剤は、マトリックス全体にわたり分散している。“薬学的または薬理学的に許容される”という語句は、例えば、ヒトなどの対象に投与すると、有害な、アレルギーまたは他の不都合な反応を産生しない分子実体および組成物を含み得るが、これに限定されるものではない。医薬組成物の調製は、一般的に当業者に公知である。Ｒｅｍｉｎｇｔｏｎ’ｓ  Ｐｈａｒｍａｃｅｕｔｉｃａｌ  Ｓｃｉｅｎｃｅｓ，１８ｔｈ  Ｅｄ．Ｍａｃｋ  Ｐｒｉｎｔｉｎｇ  Ｃｏｍｐａｎｙ，１９９０。さらに、動物（例えば、ヒト）の投与の場合、調製物は、ＦＤＡのＯｆｆｉｃｅ  ｏｆ  Ｂｉｏｌｏｇｉｃａｌ  Ｓｔａｎｄａｒｄｓにより求められる滅菌、発熱原性、一般的安全性および純度の基準を満たすことが好ましい。
【００９５】
“治療有効量”は、レシピエントに有益な結果をもたらすために有効な量である。かかる量は、最初は公開された文献を再検討することによって、ｉｎ  ｖｉｔｒｏ検査を実施することによって、または健常な実験動物の代謝研究を実施することによって決定することができる。臨床設定での使用前に、動物モデル（好ましくは治療される特定の疾患の広く認められた動物モデル）での確認研究を実施することが有益であり得る。ある実施形態に用いられる好ましい動物モデルは齧歯目モデルである。本モデルが好ましいのは、使用のために経済的であって、特に、得られた結果が臨床的価値を予測するとして広く認められていることによる。
【００９６】
“薬学的に許容される担体”は、任意およびすべての溶媒、分散媒、コーティング剤、界面活性剤、抗酸化剤、防腐剤（例えば、抗菌物質、抗かび剤）、等張剤、吸収遅延剤、塩類、防腐剤、薬物、薬物安定剤、ゲル、結合剤、賦形剤、崩壊剤、潤滑剤、甘味剤、香料、染料、当業者に公知のかかる物質およびその組合せ（Ｒｅｍｉｎｇｔｏｎ’ｓ，１９９０）を含む。
【００９７】
対象に投与する本発明の組成物の実際の用量は、体重、状態の重症度、治療される疾患のタイプ、以前または同時の治療介入、患者の突発疾患および投与経路などの物理的および生理的因子によって決めることができる。投与に責任を負う開業医は、いずれにしても、組成物中の活性成分の濃度および個々の対象に対する適切な用量を決定する。
【００９８】
生体侵食性ポリマーマトリックスを含有する組成物は、さらに、上記のポリエステルポリマーに混合できる最高２０％までの水混和性有機液体を含有することができる。一部実施形態において、水混和性有機液体の量は、１０％以下である。混合性有機液体の例は、プロピレングリコールおよびポリエチレングリコールである。これらの液体も水溶性であり、したがってｉｎ  ｖｉｖｏの薬物放出プロフィールおよびポリエステルポリマーマトリックスの侵食速度を変更する。さらに、これらの有機液体は、薬物充填マトリックスの粘度を減少させる。
【００９９】
組成物は、製造および貯蔵の条件下で安定し、細菌および真菌類などの微生物の汚染作用に対して保護されるべきである。外毒素汚染が安全なレベル（例えば、０．５ｎｇ／ｍｇタンパク質未満）で最小限に保たれなければならないことはいうまでもない。
【０１００】
当業者は、本発明の組成物が任意の数の成分（例えば、活性剤、ポリマー、賦形剤など）の組合せも含み得ることを認めるであろう。これらの成分の濃度が変動し得ることも企図される。ある非限定的な実施形態において、医薬組成物は、例えば、少なくとも約０．００１重量％の活性成分を含み得る。他の実施の形態において、活性成分は、組成物の重量の約０．００２％から約５０％、およびそこで得られる任意の範囲を構成し得る。さらに他の実施形態において、活性成分は、組成物の約０．５％から約５％を構成し得る。更なる実施形態において、活性剤の濃度は、約５％から約３０％である。なお更なる実施形態において、装置内の活性剤の濃度は、約１０％から約２０重量％である。当業者は、濃度が所定の組成物における成分の添加、置換および／または減量に応じて変動し得ることを理解するであろう。
【０１０１】
Ｅ．成分の供給源
本請求項および明細書に記載される本発明の組成物の成分（ｉｎｇｒｅｄｉｅｎｔ）および成分（ｃｏｍｐｏｎｅｎｔ）は、当業者に公知の任意の方法によって得ることができる。非限定的な実施形態において、例えば、これらの成分は、かかる化合物、薬剤および活性成分の供給源を得ることによって単離することができる。多くの場合、成分は市販されている。
【０１０２】
Ｆ．修飾および誘導体
本明細書全体にわたり開示される成分の修飾または誘導体は、本発明の方法および組成物で有用であると企図される。誘導体は調製することができ、かかる誘導体の特性は、これらの所望の特性について当業者に公知の任意の方法によって評価することができる。
【０１０３】
ある態様において、“誘導体”は、化学修飾前の化合物の所望の作用を依然として維持する化学修飾化合物をいう。かかる誘導体は、親分子に対する１つ以上の化学的部分の付加、除去または置換を有する可能性がある。本書全体にわたり開示された化合物および構造に対して成し得る修飾のタイプの非限定的な例は、メチル、エチル、プロピルなどの低級アルカン、またはヒドロキシメチルもしくはアミノメチル基などの置換低級アルカン；カルボキシル基およびカルボニル基；ヒドロキシル；ニトロ、アミノ、アミドおよびアゾ基；硫酸、スルホン酸、スルホノ、スルフヒドリル、スルホニル、スルホキシド、リン酸、ホスホノ、ホスホリル基およびハロゲン化物置換基の付加または除去を含む。更なる修飾は、例えば、プロピルによるエチルの置換、より大きなまたはより小さな芳香族基によるフェニルの置換などの原子骨格の１個以上の原子の付加または除去を含み得る。この代わりに、環状または二環式構造で、Ｎ、ＳまたはＯなどのヘテロ原子を、炭素原子の代わりにその構造に置換することができる。
【０１０４】
Ｇ．等価物
本明細書全体にわたり考察される成分に対する公知および未知の等価物を、本発明の組成物および方法と共に使用することができる。場合によっては、例えば、等価物を代用として使用することができる。また、等価物を、本発明の方法および組成物に加えて使用することができる。当業者は、過度の実験なしに、成分に対する容認できる公知または未知の等価物を認識および同定できるであろう。
【０１０５】
Ｈ．キット
本発明の更なる実施形態において、キットを提供する。非限定的な態様において、キットは、本発明の医薬組成物、ならびに請求項および明細書に記載の他の成分を含み得る。キットの容器は、ビン、ディスペンサ、パッケージ、仕切り、注射器、針（例えば、７、８、９、１０、１５、２０、２５、３０、３１、３２、３３などのゲージ）または他のタイプの容器を含み得る。容器は、その表面上に表示を含み得る。例えば、表示は単語、語句、省略形、図または記号であり得る。
【０１０６】
容器は、成分（例えば、本発明の組成物）の所定量を分配することができる。組成物を、スプレー、エアゾール、または液状もしくは半固形状で分配することができる。容器は、スプレー、ポンプまたはしぼり機構を有することができる。特定の態様において、キットは、本発明の組成物を投与するための注射器を含み得る。
【０１０７】
キットに複数の成分が存在する場合（これらは一緒に梱包され得る）、キットは、一般的に更なる成分が別々に置かれ得る２番目、３番目または他の更なる容器も含有する。また、本発明のキットは、商業的販売用の厳重に密封された状態で成分を収納する容器を含み得る。かかる容器は、所望のビン、ディスペンサまたはパッケージが保持された注入または吹き込み成形プラスチック容器を含み得る。
【０１０８】
また、キットは、キットの成分を使用するため、およびキットに含まれない任意の他の組成物、化合物、薬剤、活性成分または物の使用のための説明書を含み得る。説明書は、実施可能な変更を含み得る。説明書は、例えば、生成物または組成物をいかに適用、使用および維持するかの説明を含み得る。
【０１０９】
本明細書において開示および請求されたすべての組成物および／または方法は、本開示を踏まえて過度の実験なしに作成および実行することができる。本発明の組成物および方法は好ましい実施形態に関して記載されているが、本発明の概念、趣旨および適用範囲から逸脱することなく、変更が組成物および／または方法に対して、ならびに本明細書に記載の方法のステップまたは一連のステップにおいて、適用されうることは当業者に明らかであろう。より詳しくは、化学的および物理的に関連するある薬剤が、本明細書に記載の薬剤と交換できる一方、同一または類似した結果を達成することは明らかであろう。当業者にとって明らかな、すべてのかかる類似した代用および変更が、添付の請求によって定義されたように本発明の趣旨、適用範囲および概念の範囲内と考えられる。
【０１１０】
参照文献
以下の参照文献は、これらの参照文献が例示的手順または本明細書中で示されることを補足する他の詳細を提供する程度に、特に参考として援用される。
【０１１１】
【数１】
2010508995.tif 000030